【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
装置であって、
第１のカラー成分および第２のカラー成分を含むビデオ信号を取得し、
前記ビデオ信号に関連付けられたクロスプレーンフィルタのインジケーションを取得し、
前記クロスプレーンフィルタを前記第２のカラー成分に適用して、前記第１のカラー成分に関連付けられたカラー成分オフセットを決定し、
前記決定されたカラー成分オフセットに基づいて、前記第１のカラー成分を変更し、当該第１のカラー成分を変更することは、前記第１のカラー成分に前記決定された第１のカラー成分オフセットを加えることを含む
よう構成されたプロセッサ
を備えたことを特徴とする装置。
【請求項２】
前記第１のカラー成分はクロマ成分を含み、前記第２のカラー成分はルーマ成分を含むことを特徴とする請求項１に記載の装置。
【請求項３】
前記クロスプレーンフィルタは第１のクロスプレーンフィルタであり、前記カラー成分オフセットは第１のカラー成分オフセットであり、前記ビデオ信号は第３のカラー成分をさらに含み、前記プロセッサは、
前記ビデオ信号に関連付けられた第２のクロスプレーンフィルタのインジケーションを取得し、
前記第２のクロスプレーンフィルタを前記第３のカラー成分に適用して、第２のカラー成分オフセットを決定し、
前記決定されたカラー成分オフセットおよび前記決定された第２のカラー成分オフセットに基づいて、前記第１のカラー成分を変更するようさらに構成されたことを特徴とする請求項１に記載の装置。
【請求項４】
装置であって、
第１のカラー成分および第２のカラー成分を含むビデオ信号を受信するステップと、
前記第１のカラー成分および前記第２のカラー成分を符号化し、および前記符号化された第１のカラー成分および前記符号化された第２のカラー成分を復号して、再構成された第１のカラー成分および再構成された第２のカラー成分を生成し、
前記再構成された第２のカラー成分、前記再構成された第１のカラー成分および前記第１のカラー成分に基づいて前記再構成された第１のカラー成分を変更するクロスプレーンフィルタを生成して、前記第１のカラー成分と、変更された再構成された第１のカラー成分との間の歪みを最小化し、
前記クロスプレーンフィルタに関連付けられたフィルタ係数インジケーションを量子化し、
前記量子化されたフィルタ係数インジケーションを、前記ビデオ信号を表しているビットストリームの中に含める
よう構成されたプロセッサ
を備えたことを特徴とする装置。
【請求項５】
前記第１のカラー成分はクロマ成分を含み、前記第２のカラー成分はルーマ成分を含むことを特徴とする請求項４に記載の装置。
【請求項６】
前記クロスプレーンフィルタは第１のクロスプレーンフィルタであって、前記ビデオ信号は第３のカラー成分をさらに含み、前記プロセッサは、
前記第３のカラー成分を符号化し、および、前記符号化された第３のカラー成分を復号して、再構成された第３のカラー成分を生成し、
前記再構成された第３のカラー成分、前記再構成された第１のカラー成分および前記第１のカラー成分に基づいて、前記再構成された第１のカラー成分を変更する第２のクロスプレーンフィルタを生成して、前記第１のカラー成分と、変更された再構成された第１のカラー成分との間の歪みを最小化し、
前記第１のクロスプレーンフィルタを前記再構成された第２のカラー成分に、および前記第２のクロスプレーンフィルタを前記再構成された第３のカラー成分に適用して、カラー成分オフセットを決定し、
前記決定されたカラー成分オフセットに基づいて、前記再構成された第１のカラー成分を変更し、
前記変更された再構成された第１のカラー成分をバッファにストアするようさらに構成されたことを特徴とする請求項４に記載の装置。
【請求項７】
前記ビデオ信号は第３のカラー成分をさらに含み、前記プロセッサは、
前記第３のカラー成分を符号化して、前記符号化された第３のカラー成分を復号して、再構成された第３のカラー成分を生成し、
前記第１のカラー成分、前記第２のカラー成分および前記第３のカラー成分に基づいて、オリジナルのＲＧＢカラー成分を導き出し、
前記再構成された第１のカラー成分、前記再構成された第２のカラー成分および前記再構成された第３のカラー成分に基づいて、再構成されたＲＧＢカラー成分を導き出し、前記クロスプレーンフィルタは前記オリジナルのＲＧＢカラー成分および前記再構成されたＲＧＢカラー成分を使用して生成されるようさらに構成され、
前記プロセッサは、
前記クロスプレーンフィルタを前記再構成されたＲＧＢカラー成分に適用して、変更された再構成されたＲＧＢカラー成分を生成し、
少なくとも一部に前記変更された再構成されたＲＧＢカラー成分にもとづいて、前記変更された再構成された第１のカラー成分を導き出すようさらに構成されたことを特徴とする請求項４に記載の装置。
【請求項８】
前記プロセッサは、
前記クロスプレーンフィルタと同時に、前記再構成された第１のカラー成分および前記第１のカラー成分に基づいて、前記再構成された第１のカラー成分を変更するインプレーンフィルタを生成して、前記第１のカラー成分と、前記変更され再構成された第１のカラー成分との間の歪みを最小化し、前記第１のカラー成分と前記変更され再構成された第１のカラー成分との間の歪みを最小化することは、最小二乗法を使用して前記クロスプレーンフィルタおよび前記インプレーンフィルタをトレーニングすることを含むようさらに構成されたことを特徴とする請求項４に記載の装置。
【請求項９】
前記プロセッサは、
前記クロスプレーンフィルタを前記再構成された第２のカラー成分に、および前記インプレーンフィルタを前記再構成された第１のカラー成分に適用して、カラー成分オフセットを決定し、
前記決定されたカラー成分オフセットに基づいて、前記再構成された第１のカラー成分を変更し、
前記変更された再構成された第１のカラー成分をバッファにストアするようさらに構成されたことを特徴とする請求項８に記載の装置。
【請求項１０】
前記プロセッサは、
前記ビデオ信号に関連付けられたカラーサブサンプリングフォーマットに基づいて、クロスプレーンフィルタサイズを決定し、前記ビデオ信号に関連付けられた前記カラーサブサンプリングフォーマットが４：４：４カラーサブサンプリングフォーマットまたは４：２：２カラーサブサンプリングフォーマットである条件で、前記クロスプレーンフィルタに対して３×３クロスプレーンフィルタサイズが選択され、前記ビデオ信号に関連付けられた前記カラーサブサンプリングフォーマットが４：２：０カラーサブサンプリングフォーマットである条件で、前記クロスプレーンフィルタに対して４×３クロスプレーンフィルタサイズが選択され、前記クロスプレーンフィルタは前記決定されたクロスプレーンフィルタサイズに基づいて生成されるようさらに構成されたことを特徴とする請求項４に記載の装置。
【請求項１１】
前記プロセッサは、
前記ビデオ信号に関連付けられたカラーサブサンプリングフォーマットに基づいて、クロスプレーンフィルタサイズを特定し、
前記特定されたクロスプレーンフィルタサイズに基づいて、前記クロスプレーンフィルタの対称性を決定し、前記クロスプレーンフィルタの前記対称性は、非対称、水平対称、垂直対称、水平および垂直対称または点対称の少なくとも１つを含み、
前記クロスプレーンフィルタの前記決定された対称性のインジケーションを、前記ビットストリームの中でシグナリングするようさらに構成されたことを特徴とする請求項４に記載の装置。
【請求項１２】
前記プロセッサは、
前記ビデオ信号に関連付けられたカラーサブサンプリングフォーマットに基づいて、クロスプレーンフィルタサイズを特定し、
前記特定されたクロスプレーンフィルタサイズに基づいて、前記クロスプレーンフィルタの分離性を決定し、前記クロスプレーンフィルタの前記分離性は、対称性を持った１×３水平フィルタおよび４×１垂直フィルタ、または、対称性なしの１×３水平フィルタおよび４×１垂直フィルタを含み、
前記クロスプレーンフィルタの前記決定された分離性に関連付けられた情報を、前記ビットストリームの中でシグナリングするようさらに構成されたことを特徴とする請求項４に記載の装置。  
【請求項１３】
装置であって、
第１のカラー成分および第２のカラー成分を含むビデオ信号を取得し、
前記ビデオ信号に関連付けられた現在の位置において、クロスプレーンフィルタが前記第２のカラー成分に適用されることになることを示しているクロスプレーンフィルタインジケーションを取得し、
前記取得されたクロスプレーンフィルタインジケーションに基づいて、前記現在の位置において、前記第２のカラー成分に適用されることになる前記クロスプレーンフィルタに対するクロスプレーンフィルタ係数を決定し、
前記第１のカラー成分と関連付けられたカラー成分オフセットが決定されるように、
前記決定されたクロスプレーンフィルタ係数に基づいて、前記第２のカラー成分に前記クロスプレーンフィルタを適用し、  
前記決定されたカラー成分オフセットに基づいて、前記第１のカラー成分を変更する
よう構成されたプロセッサ
を備えたことを特徴とする装置。
【請求項１４】
前記プロセッサは、
前記決定されたカラー成分オフセットを前記第１のカラー成分に加えるようさらに構成されたことを特徴とする請求項１３に記載の装置。
【請求項１５】
前記第１のカラー成分はクロマ成分を含み、前記第２のカラー成分はルーマ成分を含むことを特徴とする請求項１３に記載の装置。
【請求項１６】
前記クロスプレーンフィルタインジケーションは、スライスレベルで取得されることを特徴とする請求項１３に記載の装置。
【請求項１７】
前記クロスプレーンフィルタインジケーションは、前記クロスプレーンフィルタが、前記ビデオ信号に関連付けられた前記現在の位置において前記第２のカラー成分に適用されることになるかどうか、および、前記クロスプレーンフィルタに関連付けられたクロスプレーンフィルタインデックスが、前記ビデオ信号に関連付けられた前記現在の位置において前記第２のカラー成分に適用されることになるかどうかを示すように構成され、
前記プロセッサは、前記クロスプレーンフィルタインデックスに基づいて、前記クロスプレーンフィルタに対する、前記クロスプレーンフィルタ係数を決定するよう構成されたことを特徴とする請求項１３に記載の装置。
【請求項１８】
前記プロセッサは、
少なくとも１つのクロスプレーンフィルタがシグナリングされるかどうかを示しているクロスプレーンフィルタシグナルインジケーションを取得し、
前記少なくとも１つのクロスプレーンフィルタがシグナリングされるかどうかを示している前記クロスプレーンフィルタシグナルインジケーションに基づいて、前記ビデオ信号から前記少なくとも１つのクロスプレーンフィルタを取得する
ようさらに構成されたことを特徴とする請求項１３に記載の装置。
【請求項１９】
前記プロセッサは、
前記クロスプレーンフィルタシグナルインジケーションが前記少なくとも１つのクロスプレーンフィルタがシグナリングされること示している条件で、シグナリングされている前記少なくとも１つのクロスプレーンフィルタの数を示すクロスプレーンフィルタ数インジケーションを取得し、
前記取得された前記少なくとも１つのクロスプレーンフィルタの前記数に基づいて、前記少なくとも１つのクロスプレーンフィルタを取得する
ようさらに構成されたことを特徴とする請求項１８に記載の装置。
【請求項２０】
前記クロスプレーンフィルタシグナルインジケーション、前記クロスプレーンフィルタ数インジケーションおよび前記少なくとも１つのクロスプレーンフィルタは、適応パラメータセット（ＡＰＳ）レベルで取得されることを特徴とする請求項１９に記載の装置。
【請求項２１】
前記クロスプレーンフィルタインジケーションは、前記現在の位置に対する前記クロスプレーンフィルタに関連付けられたクロスプレーンフィルタインデックスを示すクロスプレーンフィルタインデックスインジケーションを含み、
前記プロセッサは、
前記現在の位置に対する前記クロスプレーンフィルタに関連付けられた前記クロスプレーンフィルタインデックスおよび前記取得された少なくとも１つのクロスプレーンフィルタに基づいて、前記現在の位置において前記第２のカラー成分に適用されることになる前記クロスプレーンフィルタに対する前記クロスプレーンフィルタ係数を決定する
ようさらに構成されたことを特徴とする請求項１９に記載の装置。
【請求項２２】
前記クロスプレーンフィルタ数インジケーションからシグナリングされている前記少なくとも１つのクロスプレーンフィルタの前記数は、１および４の間であることを特徴とする請求項１９に記載の装置。
【請求項２３】
前記クロスプレーンフィルタインジケーションは第１のクロスプレーンフィルタインジケーションであり、前記クロスプレーンフィルタ係数は第１のクロスプレーンフィルタ係数であり、前記クロスプレーンフィルタは第１のクロスプレーンフィルタであり、前記カラー成分オフセットは、第１のカラー成分オフセットであり、前記ビデオ信号は第３のカラー成分をさらに含み、前記プロセッサは、
第２のクロスプレーンフィルタが、前記ビデオ信号に関連付けられた前記現在の位置において前記第３のカラー成分に適用されることになることを示す第２のクロスプレーンフィルタインジケーションを取得し、
前記取得された第２のクロスプレーンフィルタインジケーションに基づいて、前記現在の位置において前記第３のカラー成分に適用されることになる前記第２のクロスプレーンフィルタに対する第２のクロスプレーンフィルタ係数を決定し、
前記第１のカラー成分に関連付けられた第２のカラー成分オフセットが決定されるように、前記決定された第２のクロスプレーンフィルタ係数に基づいて、前記第２のクロスプレーンフィルタを前記第３のカラー成分に適用し、
前記決定された第２のカラー成分オフセットに基づいて、前記第１のカラー成分を変更するようさらに構成されたことを特徴とする請求項１３に記載の装置。
【請求項２４】
第１のカラー成分および第２のカラー成分を含むビデオ信号を取得するステップと、
前記ビデオ信号に関連付けられた現在の位置において、クロスプレーンフィルタが前記第２のカラー成分に適用されることになることを示しているクロスプレーンフィルタインジケーションを取得するステップと、
前記取得されたクロスプレーンフィルタインジケーションに基づいて、前記現在の位置において、前記第２のカラー成分に適用されることになる前記クロスプレーンフィルタに対するクロスプレーンフィルタ係数を決定するステップと、
前記第１のカラー成分と関連付けられたカラー成分オフセットが決定されるように、
前記決定されたクロスプレーンフィルタ係数に基づいて、前記第２のカラー成分に前記クロスプレーンフィルタを適用するステップと、  
前記決定されたカラー成分オフセットに基づいて、前記第１のカラー成分を変更するステップと
を備えることを特徴とする方法。
【請求項２５】
前記決定されたカラー成分オフセットを前記第１のカラー成分に加えるステップ
をさらに備えることを特徴とする請求項２４に記載の方法。
【請求項２６】
前記第１のカラー成分はクロマ成分を含み、前記第２のカラー成分はルーマ成分を含むことを特徴とする請求項２４に記載の方法。
【請求項２７】
前記クロスプレーンフィルタインジケーションは、スライスレベルで取得されることを特徴とする請求項２４に記載の方法。
【請求項２８】
前記クロスプレーンフィルタインジケーションは、前記クロスプレーンフィルタが、前記ビデオ信号に関連付けられた前記現在の位置において前記第２のカラー成分に適用されることになるかどうか、および、前記クロスプレーンフィルタに関連付けられたクロスプレーンフィルタインデックスが、前記ビデオ信号に関連付けられた前記現在の位置において前記第２のカラー成分に適用されることになるかどうかを示すように構成され、
前記クロスプレーンフィルタインデックスに基づいて、前記クロスプレーンフィルタに対する前記クロスプレーンフィルタ係数を決定するステップ
をさらに備えることを特徴とする請求項２４に記載の方法。
【請求項２９】
少なくとも１つのクロスプレーンフィルタがシグナリングされるかどうかを示しているクロスプレーンフィルタシグナルインジケーションを取得するステップと、
前記少なくとも１つのクロスプレーンフィルタがシグナリングされるかどうかを示している前記クロスプレーンフィルタシグナルインジケーションに基づいて、前記ビデオ信号から前記少なくとも１つのクロスプレーンフィルタを取得するステップと
をさらに備えることを特徴とする請求項２４に記載の方法。
【請求項３０】
前記クロスプレーンフィルタシグナルインジケーションが前記少なくとも１つのクロスプレーンフィルタがシグナリングされことを示している条件で、シグナリングされている前記少なくとも１つのクロスプレーンフィルタの数を示すクロスプレーンフィルタ数インジケーションを取得するステップと、
前記取得された前記少なくとも１つのクロスプレーンフィルタの前記数に基づいて、前記少なくとも１つのクロスプレーンフィルタを取得するステップと
をさらに備えることを特徴とする請求項２９に記載の方法。
【請求項３１】
前記クロスプレーンフィルタシグナルインジケーション、前記クロスプレーンフィルタ数インジケーションおよび前記少なくとも１つのクロスプレーンフィルタは、適応パラメータセット（ＡＰＳ）レベルで取得されることを特徴とする請求項３０に記載の方法。
【請求項３２】
前記クロスプレーンフィルタインジケーションは、前記現在の位置に対する前記クロスプレーンフィルタに関連付けられたクロスプレーンフィルタインデックスを示すクロスプレーンフィルタインデックスインジケーションを含み、
前記現在の位置に対する前記クロスプレーンフィルタに関連付けられた前記クロスプレーンフィルタインデックスおよび前記取得された少なくとも１つのクロスプレーンフィルタに基づいて、前記現在の位置において前記第２のカラー成分に適用されることになる前記クロスプレーンフィルタに対する前記クロスプレーンフィルタ係数を決定するステップ
をさらに備えることを特徴とする請求項３０に記載の方法。
【請求項３３】
前記クロスプレーンフィルタ数インジケーションからシグナリングされている前記少なくとも１つのクロスプレーンフィルタの前記数は、１および４の間であることを特徴とする請求項３０に記載の方法。
【請求項３４】
前記クロスプレーンフィルタインジケーションは第１のクロスプレーンフィルタインジケーションであり、前記クロスプレーンフィルタ係数は第１のクロスプレーンフィルタ係数であり、前記クロスプレーンフィルタは第１のクロスプレーンフィルタであり、前記カラー成分オフセットは、第１のカラー成分オフセットであり、前記ビデオ信号は第３のカラー成分をさらに含み、
第２のクロスプレーンフィルタが、前記ビデオ信号に関連付けられた前記現在の位置において前記第３のカラー成分に適用されることになることを示す第２のクロスプレーンフィルタインジケーションを取得するステップと、
前記取得された第２のクロスプレーンフィルタインジケーションに基づいて、前記現在の位置において前記第３のカラー成分に適用されることになる前記第２のクロスプレーンフィルタに対する第２のクロスプレーンフィルタ係数を決定するステップと、
前記第１のカラー成分に関連付けられた第２のカラー成分オフセットが決定されるように、前記決定された第２のクロスプレーンフィルタ係数に基づいて、前記第２のクロスプレーンフィルタを前記第３のカラー成分に適用するステップと、
前記決定された第２のカラー成分オフセットに基づいて、前記第１のカラー成分を変更するステップと
をさらに備えることを特徴とする請求項２４に記載の方法。